(57)【要約】【課題】装着の手間を改善できる装着具を提供する。【解決手段】人の足に装着したときにそれぞれ所定部位に当接する程度の伸縮性を有する、第１帯状部１０２と、第２帯状部１０４と、接続帯状部１０６と、を備える。第１帯状部１０２は、足裏側の拇指１３１の付け根から足の内側部１３７を越えてくるぶしの近傍に至る部位に当接するように形成され、第２帯状部１０４は、足甲１２９側の拇指１３１の付け根から足の内側部１３７を越えて足裏側を通り足の外側部１３８を越えてくるぶしの近傍に至る部位に当接するように形成され、接続帯状部１０６は、第１帯状部１０２の延長線上の近傍から足の後側を越えて第２帯状部１０４の延長線上の近傍に至る部位に当接するように形成される。【選択図】図１
2018016931.tif 000002
【特許請求の範囲】
【請求項１】
人の足に装着したときにそれぞれ所定部位に当接する程度の伸縮性を有する、第１帯状部と、第２帯状部と、接続帯状部と、を備え、
前記第１帯状部は、足裏側の拇指の付け根から足の内側部を越えてくるぶしの近傍に至る部位に当接するように形成され、
前記第２帯状部は、足甲側の拇指の付け根から足の内側部を越えて足裏側を通り足の外側部を越えてくるぶしの近傍に至る部位に当接するように形成され、
前記接続帯状部は、前記第１帯状部の延長線上の近傍から足の後側を越えて前記第２帯状部の延長線上の近傍に至る部位に当接するように形成されることを特徴とする装着具。
【請求項２】
前記第１帯状部は前記第２帯状部と交差することを特徴とする請求項１に記載の装着具。
【請求項３】
人の足に装着したときに所定部位に当接する程度の伸縮性を有し、足甲側の拇指の付け根から足の外側部を越えてくるぶしの近傍に至る部位に当接するように形成される第３帯状部を備えることを特徴とする請求項１または２に記載の装着具。
【請求項４】
前記第１帯状部と、前記第２帯状部と、前記接続帯状部と、前記第３帯状部と、は一体に形成されることを特徴とする請求項３に記載の装着具。
【請求項５】
前記第１帯状部は拇指球の少なくとも一部に当接する部分を含むことを特徴とする請求項１から４のいずれかに記載の装着具。
【請求項６】
拇指と人差指の間の指股に対応する切込部を有する爪先収容部を備え、
前記第１帯状部の拇指側の端部は前記切込部の切込み縁に沿って延長した延長線を跨ぐように配置されることを特徴とする請求項１から５のいずれかに記載の装着具。
【請求項７】
脚の脛に装着したときに当該脛に当接する程度の伸縮性を有する脛帯状部をさらに備え、
前記脛帯状部は、前記脛のふくらはぎ側に当接するように形成されることを特徴とする請求項１から６のいずれかに記載の装着具。
【請求項８】
前記脛帯状部は、前記接続帯状部に接続されることを特徴とする請求項７に記載の装着具。
【請求項９】
人の足に装着したときにそれぞれ所定部位に当接する程度の伸縮性を有する、第１帯状部と、第２帯状部と、第３帯状部と、を備え、
前記第１帯状部は、足裏側の拇指の付け根から足の内側部を越えてくるぶしの近傍に至る部位に当接するように形成され、
前記第２帯状部は、足甲側の拇指の付け根から足の内側部を越えて足裏側を通り足の外側部を越えてくるぶしの近傍に至る部位に当接するように形成され、
前記第３帯状部は、足甲側の拇指の付け根から足の外側部を越えてくるぶしの近傍に至る部位に当接するように形成されることを特徴とする装着具。
【請求項１０】
請求項１から９のいずれかに記載の装着具が一体に編成される履物。
【発明の詳細な説明】
【技術分野】
【０００１】
本発明は、人の足に装着するための装着具および履物に関する。
【背景技術】
【０００２】
従来、筋肉・靭帯・腱などの可動部を保護するために、その部分を固定して可動範囲を制限する構造を含む靴下が知られている。このような靴下は、傷害を負った部分を覆うことで衝撃から保護すると共に包帯の代用をするテーピング効果を利用している。例えば特許文献１には、爪先部、指球部とその近傍、踵及び甲部を覆う滑り止め部分と、土踏まず部分から脚部まで連続して形成される難伸部分と、を備え全体が編み込みによって形成された靴下が記載されている。
【先行技術文献】
【特許文献】
【０００３】
【特許文献１】特開２０１１−２１２９０号公報
【発明の概要】
【発明が解決しようとする課題】
【０００４】
また、古来、鼻緒から出て足の側面を通り足首に巻かれる紐により足に固定する草鞋が知られている。発明者は、草鞋を着用することで長距離の歩行が可能であった特性に着目し、そのメカニズムを検討した。これにより、拇指と人差指の付け根付近から足首にかけて紐を巻くことによって、歩行の安定性を改善して歩行時における足の筋肉への負担を軽減しうるとの示唆を得た。
しかし、従来の草鞋は、足に装着するために多大な手間がかかり、また不慣れな場合には足に絞めた紐がその当接部位を傷付けるおそれもある。これらのことは草鞋の特性を履物として実用化することの障害となっていた。
このことから、発明者は草鞋の持つ特性を例えば靴下などの足にまとう履物に再現することが課題であると認識した
【０００５】
本発明の目的は、このような課題に鑑みてなされたもので、装着の手間を改善できる装着具を提供することにある。
【課題を解決するための手段】
【０００６】
上記課題を解決するために、本発明のある態様の装着具は、人の足に装着したときにそれぞれ所定部位に当接する程度の伸縮性を有する、第１帯状部と、第２帯状部と、接続帯状部と、を備える。第１帯状部は、足裏側の拇指の付け根から足の内側部を越えてくるぶしの近傍に至る部位に当接するように形成され、第２帯状部は、足甲側の拇指の付け根から足の内側部を越えて足裏側を通り足の外側部を越えてくるぶしの近傍に至る部位に当接するように形成され、接続帯状部は、第１帯状部の延長線上の近傍から足の後側を越えて第２帯状部の延長線上の近傍に至る部位に当接するように形成される。
【０００７】
この態様によると、人の足に装着する装着具において、伸縮性を有する複数の帯状部によって足を包み込むことができる。
【０００８】
本発明の別の態様も装着具である。この装着具は、人の足に装着したときにそれぞれ所定部位に当接する程度の伸縮性を有する、第１帯状部と、第２帯状部と、第３帯状部と、を備え、第１帯状部は、足裏側の拇指の付け根から足の内側部を越えてくるぶしの近傍に至る部位に当接するように形成され、第２帯状部は、足甲側の拇指の付け根から足の内側部を越えて足裏側を通り足の外側部を越えてくるぶしの近傍に至る部位に当接するように形成され、第３帯状部は、足甲側の拇指の付け根から足の外側部を越えてくるぶしの近傍に至る部位に当接するように形成される。
【０００９】
本発明の別の態様は履物である。この履物は上記の装着具が一体に編成される。
【００１０】
なお、以上の構成要素の任意の組み合わせや本発明の構成要素や表現を、方法、装置、システムなどの間で相互に置換したものもまた、本発明の態様として有効である。
【発明の効果】
【００１１】
本発明によれば、装着の手間を改善できる装着具を提供することができる。
【図面の簡単な説明】
【００１２】
【図１】第１実施形態に係る装着具を装着した状態を上面から視た説明図である。
【図２】第１実施形態に係る装着具を装着した状態を下面から視た説明図である。
【図３】第１実施形態に係る装着具を装着した状態を右面から視た説明図である。
【図４】第１実施形態に係る装着具を装着した状態を左面から視た説明図である。
【図５】第１実施形態に係る装着具を装着した状態を背面から視た説明図である。
【図６】第１実施形態に係る装着具の製造工程を示すフローチャートである。
【図７】第２実施形態に係る装着具を装着した状態を右面から視た説明図である。
【図８】第２実施形態に係る装着具を装着した状態を左面から視た説明図である。
【図９】第２実施形態に係る装着具を装着した状態を背面から視た説明図である。
【図１０】第３実施形態に係る装着具を装着した状態を右面から視た説明図である。
【図１１】第３実施形態に係る装着具を装着した状態を左面から視た説明図である。
【図１２】第３実施形態に係る装着具を装着した状態を背面から視た説明図である。
【図１３】第４実施形態に係る装着具を装着した状態を右面から視た説明図である。
【図１４】第４実施形態に係る装着具を装着した状態を左面から視た説明図である。
【図１５】第４実施形態に係る装着具を装着した状態を背面から視た説明図である。
【図１６】第４実施形態に係る装着具の非装着状態を示す説明図である。
【図１７】第５実施形態に係る装着具を装着した状態を上面から視た説明図である。
【図１８】第５実施形態に係る装着具を装着した状態を下面から視た説明図である。
【図１９】第５実施形態に係る装着具を装着した状態を右面から視た説明図である。
【図２０】第５実施形態に係る装着具を装着した状態を左面から視た説明図である。
【図２１】第５実施形態に係る装着具を装着した状態を背面から視た説明図である。
【発明を実施するための形態】
【００１３】
本発明者は草鞋が有する特性について検討し、以下のような認識を得た。まず、鼻緒から出た紐を足の外側部や内側部を通してくるぶしの辺りで足首に巻き付け、その紐を締めて固定することで、歩行時における筋肉への負担が減りより楽に歩行しうる。これは、足の屈筋腱に圧力を加えて足の屈筋群を圧縮することで足の伸筋群に弛緩をもたらすことによるものと考えられる。また、伸筋群に弛緩をもたらすことで、ふくらはぎのむくみや足の疲労を緩和することも可能と考えられる。また、紐の代わりに平たい帯状体を用いることで、紐の場合と比べて当接面積を大きくして当接部への圧力を緩和することが可能になると考えられる。また、帯状体を伸縮性を有する生地から形成することで、帯状体の収縮力によって自然に足を包み込むことができるから、装着の手間を大幅に減らすことが可能になると考えられる。
本発明は、このような認識に基づいてなされたもので、実施形態により具体的な内容を説明する。
【００１４】
［第１実施形態］
以下、本発明を好適な第１実施形態をもとに各図面を参照しながら説明する。第１実施形態、変形例では、同一または同等の構成要素、部材には、同一の符号を付するものとし、適宜重複した説明は省略する。また、各図面における部材の寸法は、理解を容易にするために適宜拡大、縮小して示される。また、各図面において第１実施形態を説明する上で重要ではない部材の一部は省略して表示する。
また、第１、第２などの序数を含む用語は多様な構成要素を説明するために用いられるが、この用語は一つの構成要素を他の構成要素から区別する目的でのみ用いられ、この用語によって構成要素が限定されるものではない。
【００１５】
図１は、足に第１実施形態の装着具１００を装着した状態を上面から視た説明図である。図２は装着具１００を装着した状態を下面から視た説明図である。図３は装着具１００を装着した状態を右面から視た説明図である。図３は主に装着具１００の内側面を示している。図４は装着具１００を装着した状態を左面から視た説明図である。図４は主に装着具１００の外側面を示している。図５は装着具１００を背面から視た説明図である。図１〜図５は装着具１００を左足に装着した状態を示している。以下、ＸＹＺ直交座標系をもとに説明する。Ｘ軸方向は水平な左右方向に対応し、Ｙ軸方向は水平な前後方向に対応し、Ｚ軸方向は鉛直な上下方向に対応する。Ｙ軸方向およびＺ軸方向はそれぞれＸ軸方向に直交する。Ｘ軸方向は左方向あるいは右方向と、Ｙ軸方向は前方向あるいは後方向と、Ｚ軸方向は上方向あるいは下方向と表記することがある。装着具１００を上から視て向かって右側を右と、左側を左という。Ｘ軸方向にて、拇指１３１から小指１３４に向かう方向を外向きあるいは外側と、小指１３４から拇指１３１に向かう方向を内向きあるいは内側という。
【００１６】
図１〜図５に示すように、装着具１００は主にくるぶしから爪先側を収容する靴下の形態を有する。装着具１００は、伸縮部１１０と、爪先収容部１１７と、踵収容部１１４と、胴部１２０と、足首部１２２と、を主に含む。伸縮部１１０は、人の足に装着されることで、足形状に沿って伸び、その復元力によって縮む方向に足に収縮力を付与するための部分である。伸縮部１１０については後述する。
【００１７】
胴部１２０は主にくるぶしと爪先の間の部分を収容する筒状の部分である。胴部１２０の爪先側には足の指を収容するための爪先収容部１１７が連結される。胴部１２０の足首側には足首の少なくとも一部を収容する筒状の足首部１２２が連結される。胴部１２０と足首部１２２とは、例えば糸を筒状に編成することによって一体に形成されてもよい。
【００１８】
（爪先収容部）
装着具１００は爪先側で足の指を収容するための爪先収容部１１７を備える。図１、図２に示すように、爪先収容部１１７は拇指袋１１２と指袋１１６とを含む。拇指袋１１２は、拇指１３１の少なくとも一部を収容する袋状の部分である。拇指袋１１２は拇指１３１を他の指から独立して収容する袋部である。指袋１１６は人差指１３２から小指１３４までの４本の指を収容する袋部である。爪先収容部１１７は、例えば糸を袋状に編成することによって形成されてもよい。
【００１９】
踵収容部１１４は、図１〜図５に示すように、踵１３５の少なくとも一部を収容可能な袋状に形成される。踵収容部１１４は、例えば糸を袋状に編成することによって形成されてもよい。踵収容部１１４は、胴部１２０の踵１３５に対応する部分に設けられる踵孔１２０ｃに連結される。
【００２０】
（伸縮部）
伸縮部１１０は、人の足に装着されることで、足形状に沿って伸び、その復元力によって縮む方向の収縮力を足に付与する帯状体である帯状部を複数含む。具体的には、伸縮部１１０は、人の足に装着したときにそれぞれ所定部位に当接する程度の伸縮性を有する、第１帯状部１０２と、第２帯状部１０４と、接続帯状部１０６と、第３帯状部１０８と、を含む。装着具１００は、伸縮部１１０が拇指屈筋群に荷重を加えることで、伸筋に弛緩をもたらし、ふくらはぎのむくみや足の疲労を緩和することができる。伸縮部１１０は胴部１２０より大きな伸縮性を有する材料から形成される。特に、伸縮部１１０は胴部１２０より弾性限界が大きく弾性率が小さいシート状の生地から形成される。伸縮部１１０は、例えばゴムなど大きな弾性を有する素材が織り込まれた織物から形成されてもよい。伸縮部１１０は胴部１２０より厚い生地から形成されてもよい。
【００２１】
（第１帯状部）
図１〜図５に示すように、第１帯状部１０２は、足裏１２８側の拇指１３１の付け根から足の内側部１３７を越えて足甲１２９側のくるぶし１２７の近傍に至る部位に当接するように形成される。第１帯状部１０２は、足裏１２８側の拇指１３１の付け根から内側部１３７を越えてくるぶし１２７の近傍に至る部位に収縮力を付与することができる。特に、第１帯状部１０２の爪先側の端部は人差指１３２の付け根から拇指１３１の付け根にかけて形成される。一例として、第１帯状部１０２の幅は１８ｍｍから２８ｍｍであり、好ましくは２０ｍｍ以上で２６ｍｍ以下の範囲に形成されてもよい。なお、この明細書においてくるぶし１２７の近傍とは、くるぶし１２７の範囲およびくるぶし１２７の裾から周囲３０ｍｍ以内の範囲をいう。
【００２２】
（第２帯状部）
第２帯状部１０４は、足甲１２９側の拇指１３１の付け根から内側部１３７を越えて足裏１２８側を通り外側部１３８を越えてくるぶし１２７の近傍に至る部位に当接するように形成される。特に、第２帯状部１０４の爪先側の端部は人差指１３２の付け根から拇指１３１の付け根にかけて形成される。第２帯状部１０４を含むことで、足甲１２９側の拇指１３１の付け根から内側部１３７を越えて足裏１２８側を通り外側部１３８を越えてくるぶし１２７の近傍に至る部位に収縮力を付与することができる。一例として、第２帯状部１０４の幅は１１ｍｍから１９ｍｍであり、好ましくは１３ｍｍ以上で１７ｍｍ以下の範囲に形成されてもよい。第２帯状部１０４の幅は第１帯状部１０２の幅より小さく形成されてもよい。
【００２３】
（接続帯状部）
主に図３〜図５を参照して接続帯状部１０６を説明する。第１実施形態において、接続帯状部１０６は、第１帯状部１０２の延長線上の近傍から足の後側を越えて第２帯状部１０４の延長線上の近傍に至る部位に当接するように形成される。特に、接続帯状部１０６は第１帯状部１０２と第２帯状部１０４とに直接的または間接的に繋げられる。接続帯状部１０６を含むことで、足の後側の部位を含めて接続帯状部１０６が当接する部位に収縮力を付与することができる。また、第１帯状部１０２および第２帯状部１０４と一体に繋がることで、これらの帯状部が当接する部位に連続して収縮力を付与することができる。接続帯状部１０６は、例えばくるぶし１２７の近傍の領域で踵１３５の上側を外側部１３８から内側部１３７にわたる部位に当接する。一例として、接続帯状部１０６の幅は１１ｍｍから１９ｍｍであり、好ましくは１３ｍｍ以上で１７ｍｍ以下の範囲に形成されてもよい。接続帯状部１０６の幅は第１帯状部１０２の幅より小さく形成されてもよい。
【００２４】
帯状部が拇指１３１と人差指１３２の間の指股１３３に長時間当接すると、指股１３３を傷つける懸念がある。そこで第１実施形態では、伸縮部１１０は指股１３３に当接する部分を含まずに形成される。特に、第１帯状部１０２と第２帯状部１０４の拇指１３１側の端部は非接続にされる。したがって、第１帯状部１０２と第２帯状部１０４は指股１３３対応する部分において上下に分離される。指股１３３に当接する部分を含む場合に比べて指股１３３を傷つける可能性を小さくすることができる。
【００２５】
（第３帯状部）
収縮力が足の内側部１３７側に過度に偏ると装着者に違和感を与える懸念がある。そこで、第１実施形態では、伸縮部１１０は足の外側部１３８側に寄った領域に当接する第３帯状部１０８を含む。図１、図４に示すように、第３帯状部１０８は、足甲１２９側の拇指１３１の付け根から外側部１３８を越えてくるぶし１２７の近傍に至る部位に当接して、第２帯状部１０４及び接続帯状部１０６に繋げられるように形成される。第１実施形態では、特に、第３帯状部１０８の爪先側の端部は人差指１３２の付け根から拇指１３１の付け根にかけて形成される。一例として、第３帯状部１０８の幅は１８ｍｍから２８ｍｍであり、好ましくは２０ｍｍ以上で２６ｍｍ以下の範囲に形成されてもよい。第３帯状部１０８の幅は第１帯状部１０２の幅と略等しく形成されてもよい。
【００２６】
第３帯状部１０８と接続帯状部１０６と第２帯状部１０４とは、環状の帯体を構成する。指股１３３への負担軽減の観点から、第３帯状部１０８と第２帯状部１０４の拇指１３１側の端部は非接続にされる。したがって、第３帯状部１０８と第２帯状部１０４は指股１３３対応する部分において上下に分離される。
【００２７】
伸縮部１１０の収縮力が偏ると装着者に違和感を与える懸念がある。そこで第１実施形態では、それぞれの帯状部が、足の異なった部位を通って配置される。第１帯状部１０２と、第２帯状部１０４と、第３帯状部１０８とはそれぞれ平行に設けられてもよいが、第１実施形態では、収縮力の偏りを緩和する観点から、これらの帯状部は非平行に設けられる。
【００２８】
第１帯状部１０２と、第２帯状部１０４と、接続帯状部１０６と、第３帯状部１０８とは別々に形成されてもよいが、第１実施形態では、これらの帯状部は一体に形成される。別々に形成する場合に比べて、結合部の強度を確保し易く、製造の手間を減らすことができる。
【００２９】
図１〜図５に示すように、第１帯状部１０２と、第２帯状部１０４と、接続帯状部１０６と、第３帯状部１０８と、は互いに交差する部分である交差部を形成することがある。このような交差部が生地として二重である場合、その二重部分が厚くなり履き心地が低下するおそれがある。そこで、第１実施形態では、このような交差部は見かけでは重なっているが、生地としては一重構造として生地の重なりを避けている。したがって、このような交差部は第１帯状部１０２と同じ厚さの生地から一体に形成される。特に、第１帯状部１０２は第２帯状部１０４と交差する。第１帯状部１０２と第２帯状部１０４の交差部１０３は、例えば足の内側部１３７または足裏１２８に形成される。交差部の１０３は足のアーチ部の近傍に形成されてもよい。
【００３０】
第１帯状部１０２が拇指球１３６を迂回して配置される場合、拇指球１３６の周辺で曲率が大きくなり、収縮力が分散して効果が小さくなる懸念がある。そこで、第１実施形態では、図２に示すように、第１帯状部１０２は拇指球１３６の少なくとも一部に当接する部分である拇指球部１２４を含む。拇指球１３６を迂回して配置する場合と比べて、帯状部の曲率を小さくすることができる。
【００３１】
爪先収容部１１７は拇指１３１と人差指１３２の間の指股１３３に対応する切り込みである切込部１１５を有する。伸縮部１１０が切込部１１５の拇指１３１側に過度に寄って配置されると、収縮力が足の内側部１３７側に偏り、装着者に違和感を与える懸念がある。そこで、第１実施形態では、第１帯状部１０２の拇指１３１側の端部１０２ｂは切込部１１５の切込み縁に沿って延長した延長線Ｌｃを跨ぐように配置される。このように配置することで、収縮力の偏りを緩和することができる。同様にして、第３帯状部１０８の拇指１３１側の端部１０８ｂは切込部１１５の切込み縁に沿って延長した延長線Ｌｃを跨ぐように配置される。爪先収容部１１７は、第１帯状部１０２の拇指１３１側の端部１０２ｂや第３帯状部１０８の拇指１３１側の端部１０８ｂと結合されてもよい。
【００３２】
次に、このように構成される第１実施形態の装着具１００の製造工程の一例を説明する。図６は装着具１００の製造工程１４０を示すフローチャートである。
（１）例えば編成によって、伸縮部１１０の第１帯状部１０２と、第２帯状部１０４と、接続帯状部１０６と、第３帯状部１０８とを一体に形成する（Ｓ１４１）。
（２）例えば編成によって、別に形成された伸縮部１１０と一体に胴部１２０を形成する（Ｓ１４２）。この際、足首部１２２は胴部１２０と一体に形成してもよい。
（３）例えば編成によって、拇指袋１１２と指袋１１６とを含む爪先収容部１１７を形成する（Ｓ１４３）。
（４）例えば編成によって、踵収容部１１４を形成する（Ｓ１４４）。
（５）例えば縫合によって、胴部１２０の前側の開口１２０ｂに爪先収容部１１７を結合する（Ｓ１４５）。
（６）例えば縫合によって、胴部１２０の踵孔１２０ｃに踵収容部１１４を結合する（Ｓ１４６）。
さらに検査や梱包などの工程を経て装着具１００が製造される。なお、製造工程１４０は、必要に応じて工程の順序を入れ替えてもよく、一部の工程を削除し、複数の工程を併合し、複数の工程に分割しあるいは別工程を追加してもよい。
【００３３】
次に、このように構成された第１実施形態の装着具１００の使用方法の一例を説明する。
（１）拇指袋１１２を拇指１３１に被せ、伸縮部１１０の前側の端部１１０ｂを拇指１３１および人差指１３２側にセットする。
（２）踵収容部１１４を踵１３５に被せ、伸縮部１１０の後側の端部１１０ｃをくるぶし１２７側にセットする。
（３）第１帯状部１０２を、足裏１２８側の拇指１３１の付け根から足の内側部１３７を越えて足甲１２９側のくるぶし１２７の近傍に至る部位に当接するように位置合わせする。
（４）第２帯状部１０４を、足甲１２９側の拇指１３１の付け根から内側部１３７を越えて足裏１２８側を通り外側部１３８を越えてくるぶし１２７の近傍に至る部位に当接するように位置合わせする。
（５）接続帯状部１０６を、第１帯状部１０２の延長線上の近傍から足の後側を越えて第２帯状部１０４の延長線上の近傍に至る部位に当接するように位置合わせする。
（６）第３帯状部１０８を、足甲１２９側の拇指１３１の付け根から外側部１３８を越えてくるぶし１２７の近傍に至る部位に当接するように位置合わせする。
第１実施形態の装着具１００を、このように使用することで、拇指屈筋群を圧縮して伸筋群の弛緩をもたらし、ふくらはぎのむくみや足の疲労を緩和することができる。
【００３４】
次に、このように構成された第１実施形態の装着具１００の作用・効果を説明する。
第１実施形態の装着具１００は、人の足に装着したときにそれぞれ所定部位に当接する程度の伸縮性を有する、第１帯状部１０２と、第２帯状部１０４と、接続帯状部１０６と、を備え、第１帯状部１０２は、足裏１２８側の拇指１３１の付け根から足の内側部１３７を越えてくるぶし１２７の近傍に至る部位に当接するように形成され、第２帯状部１０４は、足甲１２９側の拇指１３１の付け根から足の内側部１３７を越えて足裏１２８側を通り足の外側部１３８を越えてくるぶし１２７の近傍に至る部位に当接するように形成され、接続帯状部１０６は、第１帯状部１０２の延長線上の近傍から足の後側を越えて第２帯状部１０４の延長線上の近傍に至る部位に当接するように形成される。この構成によれば、容易に装着できる装着具に、歩行に適した草鞋に類似する特性を再現することができる。特に拇指１３１の付け根からくるぶし１２７の近傍及び足の後側にかけて収縮力を付与できる。この結果、拇指屈筋群を圧縮することで伸筋群の弛緩をもたらし、ふくらはぎのむくみや足の疲労を緩和することができる。
【００３５】
第１実施形態の装着具１００では、第１帯状部１０２は第２帯状部１０４と交差する。この構成によれば、第１帯状部１０２と第２帯状部１０４の交差部１０３が足に密着し易くなる。
【００３６】
第１実施形態の装着具１００では、人の足に装着したときに所定部位に当接する程度の伸縮性を有し、足甲１２９側の拇指１３１の付け根から足の外側部１３８を越えてくるぶし１２７の近傍に至る部位に当接して接続帯状部１０６に繋げられる第３帯状部１０８を備える。この構成によれば、第３帯状部１０８が外側部１３８を越える部位に当接するから、第３帯状部を含まない場合に比べて、伸縮部１１０の収縮力の内側部１３７側への偏りを改善することができる。また、第３帯状部１０８が足甲１２９側を斜め左右方向に横切るから伸縮部１１０が足に密着し易くなる。
【００３７】
第１実施形態の装着具１００では、第１帯状部１０２と、第２帯状部１０４と、接続帯状部１０６と、第３帯状部１０８と、は一体に形成される。この構成によれば、これらの帯状部が別々に形成される場合と比べて、装着時にそれぞれの帯状部の位置関係が乱れにくく装着が容易になる。また装着具１００が足に密着し易くなる。
【００３８】
第１実施形態の装着具１００では、第１帯状部１０２は拇指球１３６の少なくとも一部に当接する部分を含む。この構成によれば、第１帯状部１０２が拇指球１３６に収縮力を付与して密着することができる。
【００３９】
第１実施形態の装着具１００では、拇指１３１と人差指１３２の間の指股１３３に対応する切込部１１５を有する爪先収容部１１７を備え、第１帯状部１０２の拇指１３１側の端部１０２ｂは切込部１１５の切込み縁に沿って延長した延長線Ｌｃを跨ぐように配置される。この構成によれば、第１帯状部１０２を外向きにシフトさせ、収縮力の足の内側部１３７側への偏りを緩和することができる。
【００４０】
［第２実施形態］
図７〜図９を参照して、本発明の第２実施形態に係る装着具２００について説明する。図７は装着具２００を装着した状態を右面から視た説明図である。図７は主に装着具２００の内側面を示している。図８は装着具２００を装着した状態を左面から視た説明図である。図８は主に装着具２００の外側面を示している。図９は装着具２００を背面から視た説明図である。図７〜図９は装着具２００を左足である脚１３９に装着した状態を示している。
【００４１】
第２実施形態に係る装着具２００は、第１実施形態の装着具１００に対して履き口の位置が異なる点で相違し、他の構成は同様である。装着具１００と同一または同等の構成要素、部材には、同一の符号を付する。装着具１００と重複する説明を適宜省略し、装着具１００と相違する構成について重点的に説明する。第１実施形態の装着具１００では、履き口がくるぶし１２７から膝１５２に向かって１ｃｍ〜４ｃｍ離れた位置に設けられているのに対して、第２実施形態に係る装着具２００の履き口１４２は、くるぶし１２７から膝１５２までの部分である脛１５０の一部を覆う位置に設けられる。本例の履き口１４２は、踵１３５から１０ｃｍ〜２０ｃｍの範囲で膝１５２側に離れた位置に設けられている。特に、本例の履き口１４２はくるぶし１２７から６ｃｍ〜１６ｃｍの範囲で膝１５２側に離れた位置に設けられている。
【００４２】
履き口１４２は、脛１５０の一部を覆うレッグ部１４７に設けられている。履き口１４２には、脛１５０の一部を緊縮する口ゴム部１４２ｂが設けられている。口ゴム部１４２ｂは、例えば、編成ゴム帯を縫い付けまたはゴム糸などの弾性糸を編み込んでもよい。本例の口ゴム部１４２ｂは鹿の子編みされている。このように構成することにより、着用時のズレを抑制することができる。
【００４３】
第２実施形態に係る装着具２００は、第１実施形態の装着具１００と同様の作用・効果を奏する。加えて、第２実施形態に係る装着具２００は、脛１５０の一部を緊縮することができる。
【００４４】
［第３実施形態］
図１０〜図１２を参照して、本発明の第３実施形態に係る装着具３００について説明する。図１０は装着具３００を装着した状態を右面から視た説明図である。図１０は主に装着具３００の内側面を示している。図１１は装着具３００を装着した状態を左面から視た説明図である。図１１は主に装着具３００の外側面を示している。図１２は装着具３００を背面から視た説明図である。図１０〜図１２は装着具３００を左の脚１３９に装着した状態を示している。
【００４５】
第３実施形態に係る装着具３００は、第１実施形態の装着具１００に対して、接続帯状部１０６を備えず、履き口の位置が異なる点で相違し、他の構成は同様である。装着具１００と同一または同等の構成要素、部材には、同一の符号を付する。装着具１００と重複する説明を適宜省略し、装着具１００と相違する構成について重点的に説明する。第１実施形態の装着具１００では、履き口はくるぶし１２７から膝１５２に向かって上方に膝１５２に向かって離れた位置に設けられているのに対して、第３実施形態に係る装着具３００の履き口１４４は、くるぶし１２７の途中の位置またはくるぶし１２７よりつま先側の位置に設けられる。つまり、装着具３００の履き口１４４は、くるぶし１２７の一部または全部が露出する程度の位置に設けられている。
【００４６】
履き口１４４には、くるぶし１２７の途中またはくるぶし１２７の下側を緊縮する口ゴム部１４４ｂが設けられている。口ゴム部１４４ｂは、例えば、編成ゴム帯を縫い付けまたはゴム糸などの弾性糸を編み込んでもよい。本例の口ゴム部１４４ｂは鹿の子編みされている。このように構成することにより、着用時のズレを抑制することができる。また、装着具３００では、接続帯状部１０６の代わりに口ゴム部１４４ｂが設けられるから、足の後側の部位を含めて口ゴム部１４４ｂが当接する部位に収縮力を付与することができる。
【００４７】
第３実施形態に係る装着具３００は、第１実施形態の装着具１００と同様の作用・効果を奏する。加えて、第３実施形態に係る装着具３００は、スニーカを履いた際にスニーカから見えないショートソックスとして用いることができる。この場合は、運動をするときや気温が高いときに涼感を提供することができる。
【００４８】
［第４実施形態］
図１３〜図１６を参照して、本発明の第４実施形態に係る装着具４００について説明する。図１３は装着具４００を装着した状態を右面から視た説明図である。図１３は主に装着具４００の内側面を示している。図１４は装着具４００を装着した状態を左面から視た説明図である。図１４は主に装着具４００の外側面を示している。図１５は装着具４００を背面から視た説明図である。図１３〜図１５は装着具４００を左の脚１３９に装着した状態を示している。図１６は装着具４００の非装着状態を示す説明図である。
【００４９】
第４実施形態に係る装着具４００は、第１実施形態の装着具１００に対して履き口１４６の位置が異なり、レッグ部１４７に設けられた脛帯状部１４８をさらに備える点で相違し、他の構成は同様である。装着具１００と同一または同等の構成要素、部材には、同一の符号を付する。装着具１００と重複する説明を適宜省略し、装着具１００と相違する構成について重点的に説明する。
【００５０】
第１実施形態の装着具１００では、履き口がくるぶし１２７から膝１５２に向かって１ｃｍ〜４ｃｍ離れた位置に設けられているのに対して、第４実施形態に係る装着具４００の履き口１４６は、脛１５０の略全体を覆う位置に設けられる。本例では、履き口１４６は、踵１３５から２０ｃｍ〜４０ｃｍの範囲で膝１５２側に離れた位置に設けられている。特に、本例の履き口１４６は、くるぶし１２７から１６ｃｍ〜３６ｃｍの範囲で膝１５２側に離れた位置に設けられている。履き口１４６は、膝１５２の近傍に配置されてもよい。
【００５１】
履き口１４６は、脛１５０を覆うレッグ部１４７に設けられている。履き口１４６には、脛１５０の一部を緊縮する口ゴム部１４６ｂが設けられている。口ゴム部１４６ｂは、例えば、編成ゴム帯を縫い付けまたはゴム糸などの弾性糸を編み込んでもよい。本例の口ゴム部１４６ｂは鹿の子編みされている。このように構成することにより、着用時のズレを抑制することができる。
【００５２】
（脛帯状部）
脛帯状部１４８はレッグ部１４７のふくらはぎ１５４側に設けられている。脛帯状部１４８は、脛１５０に装着されることで、脛１５０のふくらはぎ１５４側に沿って伸び、その復元力によって縮む方向の収縮力を脛１５０に付与する。具体的には、脛帯状部１４８は、脛１５０に装着したときに脛１５０に当接する程度の伸縮性を有する。装着具４００は、脛帯状部１４８が脛１５０のふくらはぎ１５４の屈筋（腓腹筋、ヒラメ筋）に荷重を加えることができる。
【００５３】
脛帯状部１４８は胴部１２０より大きな伸縮性を有する材料から形成される。特に、脛帯状部１４８は胴部１２０より弾性限界が大きく弾性率が小さいシート状の生地から形成される。脛帯状部１４８は、例えばゴムなど大きな弾性を有する素材が織り込まれた織物から形成されてもよい。脛帯状部１４８は胴部１２０より厚い生地から形成されてもよい。つまり、脛帯状部１４８は伸縮部１１０と同様に形成されてもよい。
【００５４】
脛帯状部１４８は、収縮力を脛１５０に付与する帯状体を１または複数含む。本例の脛帯状部１４８は、第１帯状体１４８ｂと、第２帯状体１４８ｃと、を含んでいる。第１帯状体１４８ｂは、接続帯状部１０６から履き口１４６の近傍までふくらはぎ１５４の屈筋に沿ってやや斜行して延びるように配置されている。本例の第１帯状体１４８ｂは、踵側の端１４８ｅが幅方向で内側に寄って配置され、膝１５２側の端１４８ｆが幅方向で外側に寄って配置されている。図１６に示すように、端１４８ｅは概ね拇指から脚の延伸方向に沿って延びた位置に、端１４８ｆは概ね小指から脚の延伸方向に沿って延びた位置に配置されている。第２帯状体１４８ｃの膝１５２側の端１４８ｈは概ね拇指から脚の延伸方向に沿って延びた位置に配置されている。端１４８ｆおよび端１４８ｈの一方または双方は口ゴム部１４６ｂに接続されてもよい。
【００５５】
第２帯状体１４８ｃは、第１帯状体１４８ｂの途中から履き口１４６の近傍までふくらはぎ１５４の屈筋に沿って延びるように配置されている。本例の第２帯状体１４８ｃの踵１３５側の端部１４８ｇは、第１帯状体１４８ｂの踵１３５側の端１４８ｅから全長の２０％から５０％の間の位置に接続されている。第１帯状体１４８ｂと第２帯状体１４８ｃとは、履き口１４６に近づく程その離間距離が大きくなるように配置されている。つまり、第１帯状体１４８ｂと第２帯状体１４８ｃとはＹ文字状に配置されている。第１帯状体１４８ｂ、第２帯状体１４８ｃそれぞれは、直線状であってもよく、曲線状であってもよく、途中に屈曲する部分を含んでもよい。
【００５６】
第４実施形態に係る装着具４００は、第１実施形態の装着具１００と同様の作用・効果を奏する。加えて、第４実施形態に係る装着具４００は、脛１５０に装着したときに脛１５０に当接する程度の伸縮性を有する脛帯状部１４８を備え、脛帯状部１４８は、脛１５０のふくらはぎ１５４側に当接するように形成される。この構成によれば、脛帯状部１４８の復元力によって縮む方向の収縮力を脛１５０に付与することができる。
【００５７】
第４実施形態に係る装着具４００では、脛帯状部１４８は、伸縮部１１０の例えば接続帯状部１０６に接続されている。この構成によれば、足裏から脛１５０にわたって連動し、足裏の屈筋（長拇趾屈筋、長趾屈筋）からふくらはぎ１５４の屈筋につながる高伸縮ラインが形成され、ふくらはぎ１５４の屈筋が連動しやすくスポーツや機能障害において機能改善が期待できる。
【００５８】
［第５実施形態］
図１７〜図２１を参照して、本発明の第５実施形態に係る装着具５００について説明する。図１７は、第５実施形態に係る装着具５００を装着した状態を上面から視た説明図である。図１８は、装着具５００を装着した状態を下面から視た説明図である。図１９は装着具５００を装着した状態を右面から視た説明図である。図１９は主に装着具５００の内側面を示している。図２０は装着具５００を装着した状態を左面から視た説明図である。図２０は主に装着具５００の外側面を示している。図２１は装着具５００を背面から視た説明図である。図１７〜図２１は装着具５００を左足に装着した状態を示している。
【００５９】
第５実施形態に係る装着具５００は、第１実施形態に係る装着具１００に対して、爪先収容部１１７の代わりに構成の異なる爪先収容部１１８を備える点で相違し、他の構成は同様である。装着具１００と同一または同等の構成要素、部材には、同一の符号を付する。装着具１００と重複する説明を適宜省略し、装着具１００と相違する構成について重点的に説明する。第１実施形態に係る装着具１００では、爪先収容部１１７に切込部１１５を有する例について説明したが、本発明はこの例に限定されず、切込部を備えることは必須ではない。
【００６０】
図１７〜図２１に示すように、装着具５００は主にくるぶしから爪先側を収容する靴下の形態を有する。装着具５００は、伸縮部１１０と、爪先収容部１１８と、踵収容部１１４と、胴部１２０と、足首部１２２と、を主に含む。伸縮部１１０は、人の足に装着されることで、足形状に沿って伸び、その復元力によって縮む方向に足に収縮力を付与するための部分である。伸縮部１１０と、踵収容部１１４と、胴部１２０と、足首部１２２と、については装着具１００と同様であり、前述した説明を参照することができる。
【００６１】
（爪先収容部）
装着具５００は爪先側で足の指を収容するための爪先収容部１１８を備える。装着具１００の爪先収容部１１７が、拇指１３１を収容する拇指袋１１２と、人差指１３２から小指１３４までの４本の指を収容する指袋１１６とを有するのに対して、装着具５００の爪先収容部１１８は指袋１１８ｂを有する。図１７、図１８に示すように、指袋１１８ｂは拇指１３１から小指１３４までの５本の指を収容する袋状の部分である。爪先収容部１１８は、例えば糸を袋状に編成することによって形成されてもよい。
【００６２】
第５実施形態に係る装着具５００は、第１実施形態の装着具１００と同様の作用・効果を奏する。加えて、第５実施形態に係る装着具５００は、切込部を有しないことにより、その分だけ製造の手間が減り、コストダウンに有利になる。
【００６３】
以上、本発明の実施形態をもとに説明した。これらの実施形態は例示であり、いろいろな変形および変更が本発明の特許請求の範囲内で可能なこと、またそうした変形例および変更も本発明の特許請求の範囲にあることは当業者に理解されるところである。従って、本明細書での記述および図面は限定的ではなく例証的に扱われるべきものである。
【００６４】
以下、変形例について説明する。変形例の説明では、実施形態と同一または同等の構成要素、部材には、同一の符号を付する。実施形態と重複する説明を適宜省略し、実施形態と相違する構成について重点的に説明する。
【００６５】
（第１変形例）
各実施形態の説明では、装着具１００が靴下と一体に形成される例について説明したが、これに限られない。装着具１００はタイツ、ストッキング、足袋、サポーターまたはインソールなどの足に纏う着用物と一体に形成されてもよい。あるいは、装着具１００はこれらの着用物とは別に独立して形成されてもよい。
【００６６】
（第２変形例）
各実施形態の説明では、指袋１１６が爪先の人差指１３２から小指１３４までの４本の指を収容する例について説明したがこれに限られない。例えば、指袋は個々の指ごとに独立して設けられてもよい。
【００６７】
上述した各実施形態同士および各実施形態と変形例の任意の組み合わせもまた本発明の実施形態として有用である。組み合わせによって生じる新たな実施形態は、組み合わされる実施形態および変形例それぞれの効果をあわせもつ。
【００６８】
説明に使用した図面では、部材の関係を明瞭にするために一部の部材にハッチングを施しているが、当該ハッチングはこれらの部材の素材や材質を制限するものではない。
【符号の説明】
【００６９】
１００・・装着具、  １０２・・第１帯状部、  １０４・・第２帯状部、  １０６・・接続帯状部、  １０８・・第３帯状部、  １１０・・伸縮部、  １１２・・拇指袋、  １１４・・踵収容部、  １１５・・切込部、  １１６・・指袋、  １１７、爪先収容部、  １２４・・拇指球部、  １２８・・足裏、  １２９・・足甲、  １３１・・拇指、  １３２・・人差指、  １３３・・指股、  １３５・・踵、  １３６・・拇指球、  １３７・・内側部、  １３８・・外側部、  １４０・・製造工程。
【図１】
2018016931.tif 000003
【図２】
2018016931.tif 000004
【図３】
2018016931.tif 000005
【図４】
2018016931.tif 000006
【図５】
2018016931.tif 000007
【図６】
2018016931.tif 000008
【図７】
2018016931.tif 000009
【図８】
2018016931.tif 000010
【図９】
2018016931.tif 000011
【図１０】
2018016931.tif 000012
【図１１】
2018016931.tif 000013
【図１２】
2018016931.tif 000014
【図１３】
2018016931.tif 000015
【図１４】
2018016931.tif 000016
【図１５】
2018016931.tif 000017
【図１６】
2018016931.tif 000018
【図１７】
2018016931.tif 000019
【図１８】
2018016931.tif 000020
【図１９】
2018016931.tif 000021
【図２０】
2018016931.tif 000022
【図２１】
2018016931.tif 000023